(57)【要約】【課題】、安定性に優れた研磨機の提供。【解決手段】モータハウジング２２内に内蔵されたディスクモータ３と、ディスクモータ３により回転駆動され、被研磨材を研磨する先端工具１Ａが装着可能な工具装着部３４と、ディスクモータ３に電力供給する電池５が装着される電池装着部４４と、を有し、ディスクモータ３は、ディスクモータ３の軸心の軸方向が工具装着部３４の軸心の軸方向と同じ方向になるように配置されており、モータハウジング２２には、ループ状を成すハンドル４が設けられている研磨機を提供する。【選択図】図２
2012213813.tif 000002
【特許請求の範囲】
【請求項１】
ディスクモータと、
該ディスクモータにより回転駆動され、被研磨材を研磨する研磨工具が装着可能な工具装着部と、
該ディスクモータに電力供給する電池が装着される電池装着部と、を有し、
該ディスクモータは、該ディスクモータの軸心の軸方向が該工具装着部の軸心の軸方向と同じ方向になるように配置されていることを特徴等する研磨機。
【請求項２】
該ディスクモータと該工具装着部とは、同軸上に配置され、
該電池装着部は、該電池が該工具装着部の軸方向投影内に位置するように構成されていることを特徴とする請求項１に記載の研磨機。
【請求項３】
該ディスクモータを保持するハウジングを更に有し、
該ハウジングにはハンドルが設けられ、
該ハンドルは、該ディスクモータに関して該工具装着部の反対側に位置すると共に、該ハンドルの一端及び他端が該ハウジングに接続されるループ形状を成していることを特徴とする請求項１または請求項２のいずれかに記載の研磨機。
【請求項４】
該軸心と直交する平面上において、該ハンドルの少なくとも一部と該電池とが、該軸心に関して反対位置に配置されるように該ハンドルと該工具装着部とが構成されていることを特徴とする請求項３に記載の研磨機。
【請求項５】
ディスクモータと、
該ディスクモータを収容するハウジングと、
該ハウジングに着脱可能に固定される電池と、を有することを特徴とする研磨機。
【発明の詳細な説明】
【技術分野】
【０００１】
本発明は研磨機に関し、特に電池駆動される研磨機に関する。
【背景技術】
【０００２】
窓や壁面を研磨工具であるパフで研磨する研磨機が公知になっている。この研磨機は、特許文献１に示されるように、モータによって駆動されパフが装着される装着部を有すると共に、コードによって外部電源に接続されて駆動されている。
【先行技術文献】
【特許文献】
【０００３】
【特許文献１】特開昭６１−１９９３８５号公報
【発明の概要】
【発明が解決しようとする課題】
【０００４】
特許文献１に示される研磨機では、外部電源に接続されるコードが被研磨面に接触して研磨した被研磨面に傷が着くことがある。これを回避するために、充電池等の電池を装着する研磨機も提案されているが、電池は重量物であるため、元々重量物であるモータと相俟って研磨機の重心位置が装着部から遠ざかることがある。この場合には、被研削面に対する研磨機の安定性が低下し、作業性が損なわれていた。よって本発明は、安定性に優れた研磨機を提供することを目的とする。
【課題を解決するための手段】
【０００５】
上記課題を解決するために本発明は、ディスクモータと、該ディスクモータにより回転駆動され、被研磨材を研磨する研磨工具が装着可能な工具装着部と、該ディスクモータに電力供給する電池が装着される電池装着部と、を有し、該ディスクモータは、該ディスクモータの軸心の軸方向が該工具装着部の軸心の軸方向と同じ方向になるように配置されている研磨機を提供する。
【０００６】
このような構成によると、軸心方向の長さが短いディスクモータを動力源として用いるため、研磨機の軸心方向距離を短くすることができる。これにより研磨機の重心位置を工具装着部に近づけることができ、研磨機の作業時の安定性を良くすることができる。
【０００７】
上記構成の研磨機において、該ディスクモータと該工具装着部とは、同軸上に配置され、該電池装着部は、該電池が該工具装着部の軸方向投影内に位置するように構成されていることが好ましい。
【０００８】
このような構成によると、重量物である電池を軸心位置若しくは軸心位置近傍に配置できるので、軸心と直交する平面において重心位置を軸心位置に近づけることができる。よって研磨機のバランスが良くなり、安定性を増すことができる。
【０００９】
また該ディスクモータを保持するハウジングを更に有し、該ハウジングにはハンドルが設けられ、該ハンドルは、該ディスクモータに関して該工具保持部の反対側に位置すると共に、該ハンドルの一端及び他端が該ハウジングに接続されるループ形状を成していることが好ましい。
【００１０】
このような構成によると、ハンドルが持ちやすく研磨機を保持しやすい。またハンドルが軸心近傍に位置するため、重量バランスを取りやすく、安定して研磨機を保持することができる。
【００１１】
また該軸心と直交する平面上において、該ハンドルの少なくとも一部と該電池とが、該軸心に関して反対位配置されるように該ハンドルと該工具装着部とが構成されていることが好ましい。
【００１２】
このような構成によると、重量バランスがよくなり、安定して研磨機を保持することができる。
【００１３】
また上記課題を解決するために、ディスクモータと、該ディスクモータを収容するハウジングと、該ハウジングに着脱可能に固定される電池と、を有する研磨機を提供する。
【発明の効果】
【００１４】
本発明の研磨機によれば、重量バランスがよくなり、安定性を良くすることができる。
【図面の簡単な説明】
【００１５】
【図１】本発明の実施の形態に係る研磨機の側面図。
【図２】本発明の実施の形態に係る研磨機の側面断面図。
【発明を実施するための形態】
【００１６】
以下、本発明の実施の形態に係る研磨機について、図１乃至図２に基づき説明する。図１に示される研磨機１は、先端工具である研磨部材（パフ）１Ａで被研磨材であるフローリングや窓を磨くために用いられる工具であり、毎分５００〜１０００回転程度で回転駆動される。研磨機１は、ハウジング２と、ディスクモータ３（図２）と、ハンドル４と、から主に構成され、電池５が装着されている。
【００１７】
ハウジング２は、図２に示されるように、主にフレーム２１と、モータハウジング２２とから構成されている。フレーム２１は、アルミ製であり、中央に後述の出力軸部３１が貫通する孔２１ａが形成され、孔２１ａ回りに出力軸部３１を回転可能に支承する軸受２１Ａが設けられている。モータハウジング２２は、後述の上下方向と直交する方向に二分割されて構成され、フレーム２１と重ねられて内部にディスクモータ３を配置可能な空間を形成しており、出力軸部３１を回転可能に支承する軸受２２Ａが設けられている。このモータハウジング２２からフレーム２１へ向かう方向を下側方向として研磨機１の上下方向を規定する。フレーム２１とモータハウジング２２とはネジで接続されている。またフレーム２１の下方には、後述のファン３５を保護するカバー２３が装着されている。
【００１８】
ディスクモータ３は、出力軸部３１と、出力軸部３１に固定された略円板形状のロータ３２と、複数の磁石３３と、モータハウジング２２に支持される図示せぬブラシとから構成されている。
【００１９】
出力軸部３１は、軸方向が上下方向と一致するように配置され、その下端がカバー２３から突出するように構成されており、軸受２１Ａ及び軸受２２Ａによりハウジング２に対して回転可能に支承されている。この出力軸部３１の中心軸を含み上下に延びる軸を仮想軸Ｌと定義する。出力軸部３１の下端位置には工具装着部３４が設けられている。
【００２０】
工具装着部３４は、金属製であって出力軸部３１にボルトによって同軸一体回転するように固定される基部３４Ａと、ゴム製であって基部３４Ａに装着され研磨工具である研磨部材１Ａが装着される装着部３４Ｂとから円板形状に構成されている。また出力軸部３１において、カバー２３内に位置する箇所には、同軸一体回転するファン３５が装着されている。
【００２１】
ロータ３２は、図示せぬブラシと当接可能であって複数の整流子が形成された略円板形状の整流子板３２Ａと、図示せぬ複数のコイルが印刷されたコイル板３２Ｂと、整流子板３２Ａとコイル板３２Ｂとの間に設けられたスペーサ３２Ｃとから構成されている。
【００２２】
複数の磁石３３は、ロータ３２を挟むようにロータ３２上方及び下方に位置するモータハウジング２２及びフレーム２１に装着されており、出力軸部３１を中心として円周状にかつ、隣接する磁石３３の極性が異なるように配置されている。
【００２３】
ハンドル４は、樹脂製であって、ディスクモータ３に関して工具装着部３４の反対側となる上側に位置しており、一端及び他端がそれぞれモータハウジング２２にネジ止めされて接続され、上方へ向かって延び仮想軸Ｌと交差するループ形状を成している。ハンドル４には、トリガ４１と、トリガスイッチ４２と、端子部４３と、電池装着部４４とが設けられている。トリガ４１は、ハンドル４においてループ内部に面する側面に配置されており、作業者が操作する箇所である。
【００２４】
トリガスイッチ４２は、トリガ４１に沿って配置されディスクモータ３にコードによって接続されており、トリガ４１が操作されることによってオン動作するように構成されている。ハンドル４において、トリガ４１及びトリガスイッチ４２が配置されている箇所を主ハンドル４５と定義する。
【００２５】
端子部４３は、ハンドル４において頂部である上面であって電池装着部４４近傍に配置されトリガスイッチ４２にコードによって接続されており、電池装着部４４に装着された電池５が通電するように構成されている。
【００２６】
電池装着部４４は、ハンドル４において上面であり、かつ仮想軸Ｌと直交する平面において仮想軸Ｌに関して主ハンドル４５の反対位置に配置されており、電池５が収容される収容空間４４ａが画成されている。また電池装着部４４には、電池５の後述のラッチ５２が係合する係合部４４Ａ（図１）を備えている。
【００２７】
電池５は、公知の充電池であり、収容空間４４ａ内に挿入され、図示せぬセルが内蔵されている挿入部５１と、係合部４４Ａと係合可能なラッチ５２と、端子部４３と接触して通電する導通部５３とを有している。また電池５において、電池５が電池装着部４４に装着された状態での最上部には、作業者が把持可能な把持部５４を有している。電池５においては、挿入部５１に図示せぬセルが内蔵されているため、その重心位置は、図２に示されるＰＧ位置になる。よって電池５の重心位置が、仮想軸Ｌと直交する平面において仮想軸Ｌに関して主ハンドル４５の反対位置に配置される。
【００２８】
上記研磨機１で研磨作業をする際には、一方の手で主ハンドル４５を把持し、他方の手で把持部５４を把持して研磨機１を保持し、トリガ４１を操作することで、ディスクモータ３に電力を供給し、研磨部材１Ａを回転させる。この時に、トリガ４１の操作のため、一方の手で主ハンドル４５を把持する必要があるが、他方の手は、必ずしも把持部５４を把持する必要はなく、ハンドル４において把持しやすい箇所を把持すればよい。また、把持部５４は、仮想軸Ｌ上及び仮想軸Ｌ近傍に位置するため、この把持部５４を把持して研磨機１を下側に向けて付勢することにより、研磨部材１Ａが偏心して被研磨面に付勢されることがなく、安定した研磨作業を行うことができる。
【００２９】
ディスクモータ３は、ディスク上のロータ３２から構成されているため、円柱状のロータを用いる通常のモータに比べて軸方向寸法を短くすることができる。よって研磨機１の重心位置Ｇを、下方に位置させて低重心化することができ、研磨部材１Ａが回転する際に研磨機１が暴れることを抑制して安定した回転にすることができる。
【００３０】
作業者が把持するハンドル４がハウジング２上方でループ状に形成されているため、種々の方向からハンドル４を把持することができ、把持しやすくなる。またハンドル４は、研磨部材１Ａの回転中心である仮想軸Ｌ上に位置するため、ハンドル４を保持することにより重量バランスが取りやすく、安定して研磨機１を保持することができる。また仮想軸Ｌに関して、電池５の重心位置ＰＧは図２紙面上左側であって仮想軸Ｌ近傍に位置し、主ハンドル４５は、図２紙面上右側であって仮想軸Ｌから離れた箇所に位置している。電池５は、主ハンドル４５に比べて重いが、仮想軸Ｌからの距離が主ハンドル４５に比べて近いことにより、主ハンドル４５と電池５との仮想軸Ｌ回りの重量バランスを保つことができる。よって研磨機１の重心位置Ｇを、仮想軸Ｌ上、若しくは仮想軸Ｌ近傍位置にすることができ、安定して研磨機１を保持することができる。
【００３１】
本発明の実施の形態に係る研磨機は、上述の実施の形態に限定されず、特許請求の範囲に記載された範囲で種々の改良や変形が可能である。例えば実施の形態ではディスクモータにより、直接工具装着部を駆動したが、これに限らず、減速機構を介して工具装着部を駆動しても良い。またハンドルについては、ループ状のハンドルのみとしたが、これに限らず、上下方向と交差する方向に延びるサイドハンドルを設けてもよい。サイドハンドルは、研磨機が大型になった場合に保持性を高め、有効である。また高所を研磨するため、ハウジングに棒状の延長ハンドルを装着する装着部を設けていてもよい。
【符号の説明】
【００３２】
１：研磨機  １Ａ：パフ  ２：ハウジング  ３：ディスクモータ  ４：ハンドル
５：電池  ２１：フレーム  ２１Ａ：軸受  ２１ａ：孔  ２２：モータハウジング
２２Ａ：軸受  ２３：カバー  ３１：出力軸部  ３２：ロータ  ３２Ａ：整流子板
３２Ｂ：コイル板  ３２Ｃ：スペーサ  ３３：磁石  ３４：工具装着部  ３４Ａ：基部
３４Ｂ：装着部  ３５：ファン  ４１：トリガ  ４２：トリガスイッチ  ４３：端子部
４４：電池装着部  ４４Ａ：係合部  ４４ａ：収容空間  ４５：主ハンドル
５１：挿入部  ５２：ラッチ  ５３：導通部  ５４：把持部
【図１】
2012213813.tif 000003
【図２】
2012213813.tif 000004